(57)【要約】      （修正有）【課題】炎症性腸疾患の病因研究に必要な、開腹することなくかつ消化管内部に病変部と非病変部が存在する消化管局所炎症モデル動物を提供すること。【解決手段】複数のバルーン２、３を有し、該複数のバルーン間におけるチューブ本体１の外周壁に１又は２以上の側孔を有するカテーテルＡの構造により、消化管の局所のみに薬剤を供給することができることを見出し、さらには、最適な薬剤の種類及び濃度を設定することにより、消化管の局所のみを炎症させた消化管局所炎症モデル動物を作製することができる。【選択図】図１
2011143127.tif 000002
【特許請求の範囲】
【請求項１】
消化管局所炎症モデル動物作製用カテーテルであって、
チューブ本体と、
前記チューブ本体先端縁の外周壁に一定の間隔を置いて形成された２以上のバルーン用孔と、
前記チューブ本体内に形成されており前記２以上のバルーン用孔へ連通する第１ルーメン又は前記チューブ本体内の前記２以上のバルーン用孔へ連通する第１管と、
前記２以上のバルーン用孔の各々を覆う状態で前記チューブ本体の外周周りに設置された２以上のバルーンと、
前記チューブ本体の外周壁の前記各バルーン間に形成された側孔と、
前記チューブ本体内に形成されており前記側孔へ連通する第２ルーメン又は前記チューブ本体内の前記側孔へ連通する第２管と、
を少なくとも備えることを特徴とするカテーテル。
【請求項２】
前記第１ルーメンが各バルーン用孔の各々に対応する２以上のルーメンを含むこと、又は前記第１管が各バルーン用孔の各々に対応する２以上の管を含むこと、により各バルーンを個別に拡張可能であることを特徴とする請求項１に記載のカテーテル。
【請求項３】
前記第２ルーメンが各側孔の各々に対応する２以上のルーメンを含むこと、又は前記第２管が各側孔の各々に対応する２以上の管を含むこと、により各側孔から異なる薬剤を放出可能であることを特徴とする請求項１又は２に記載のカテーテル。
【請求項４】
前記バルーンが２つ（第１バルーン及び第２バルーン）設置されており、かつ前記バルーン用孔が２つ（第１バルーン用孔及び第２バルーン用孔）設置されており、前記第１ルーメンが２個のルーメン（ルーメン５ａ'及びルーメン５ｂ'）又は前記第１管が２個の管（管５ａ及び管５ｂ）を含み、前記管５ａ又はルーメン５ａ'が前記第１バルーン用孔に連通し、前記管５ｂ又はルーメン５ｂ'が前記第２バルーン用孔に連通し、これにより、
前記第１バルーン及び第２バルーンを個別に拡張可能であることを特徴とする請求項１〜３のいずれか１に記載のカテーテル。
【請求項５】
前記バルーンが３つ（第１バルーン、第２バルーン及び第３バルーン）設置されており、かつ各バルーン間の側孔が２つ（第１側孔及び第２側孔）設置されており、
前記第２ルーメンが２個のルーメン（ルーメン７ａ'及びルーメン７ｂ'）又は前記第２管が２個の管（管７ａ及び管７ｂ）を含み、
前記管７ａ又は前記ルーメン７ａ'が前記第１側孔に連通し、前記管７ｂ又は前記ルーメン７ｂ'が前記第２側孔に連通し、これにより、
前記第１側孔と前記第２側孔から異なる薬剤を放出可能であることを特徴とする請求項１〜４のいずれか１に記載のカテーテル。
【請求項６】
さらに、前記チューブ本体内に形成されており、チューブ本体の先端へ開口し、かつガイドワイヤを挿通可能な第３ルーメンを設けることを特徴とする請求項１〜５のいずれか１に記載のカテーテル。
【請求項７】
各バルーン間の距離を伸縮可能にするための伸縮手段を有することを特徴とする請求項１〜６のいずれか１に記載のカテーテル。
【請求項８】
前記伸縮手段は、チューブ本体が該チューブ本体の先端部を有する先端管及び末端管で構成されており、さらに該末端管の先端の一部又は全部が摺動可能に該先端管の末端内に格納されていることを特徴とする請求項７に記載のカテーテル。
【請求項９】
前記伸縮手段は、チューブ本体が該チューブ本体の先端部を有する先端管及び末端管で構成されており、さらに該先端管の末端の一部又は全部が摺動可能に該末端管の先端内に格納されていることを特徴とする請求項７に記載のカテーテル。
【請求項１０】
前記末端管が前記先端管から離脱することを防ぐための１組の停止部材を有する請求項８又は９に記載のカテーテル。
【請求項１１】
請求項１〜１０のいずれか１に記載のカテーテルを使用して、モデル動物に薬剤を注入することを特徴とする消化管局所炎症モデル動物の作製方法。
【請求項１２】
前記薬剤が、7.0％〜13.0％酢酸であることを特徴とする請求項１１の作製方法。
【発明の詳細な説明】
【技術分野】
【０００１】
本発明は、消化管局所炎症モデル動物作製用カテーテル及びそれを使用した消化管局所炎症モデル動物作製方法に関する。
【背景技術】
【０００２】
炎症性腸疾患（IBD）は難治性の疾病であり、未だ明確な原因については解明されていない。炎症性腸疾患として、潰瘍性大腸炎とクローン病の二つが良く知られている。さらに、類似した疾患である腸管ベーチェット病や単純性潰瘍も知られている。これらは、緩解期と活動期を繰り返す難治性の慢性消化管疾患であり、病因の主体は、腸管上皮の防御力の低下、腸管組織に進入する腸内細菌に対する腸管免疫反応の異常によると考えられている。
【０００３】
炎症性腸疾患の一つである潰瘍性大腸炎は、何らかの原因により、大腸の粘膜に炎症が起こり、びらん（ただれ）及び／又は潰瘍ができる病気である。炎症は通常、肛門に近い直腸から始まり、その後、その奥の結腸に向って炎症が拡がっていくと考えられている。  腸に起こる炎症のために、下痢や粘血便（血液、粘膜及び膿の混じった軟便）、発熱や体重減少などの症状が現れる。病状は、おさまったり（緩解期）、悪化したり（活動期）を繰り返すことが多く、長期にわたってこの病気に悩まされる。
なお、潰瘍性大腸炎は、1973年より厚生労働省の特定疾患治療研究対象疾患（難病）の一つとして指定されている。
【０００４】
上記炎症性腸疾患病因解明のアプローチの一つとして疾患モデル動物を用いることが一般的である。
例えば、大腸炎モデル動物としては、デキストラン硫酸ナトリウム（DSS）やトリニトロベンゼンスルホン酸（TNBS）による大腸炎モデル動物が挙げられ、酢酸による大腸炎モデル動物は病理組織像やアラキドン酸代謝物の産出パターンがヒトの潰瘍性大腸炎の病態と比較的良く反映していることが知られている。
【０００５】
上記大腸炎モデル動物の作製方法は、経肛門的に酢酸溶液を注入する方法、開腹下で大腸膜に直接酢酸溶液を添加する方法、DSS溶液等の自由飲水による方法等がある。
しかし、上記いずれの方法も、投与する薬剤の注入位置を限局できない、又はモデル動物の開腹が必要であった。
【０００６】
一方、バルーンカテーテルは、医療用チューブであるカテーテルを経皮的、或いは内視鏡的に血管、消化管、尿道あるいは気管等へ挿入し、血液を遮断したり、目的の部位にて臨床上必要とする期間留置するために、カテーテルに膨張可能なバルーンを付設している（参照：特許文献１〜５）。
しかし、バルーンカテーテルの主な使用目的は、血液遮断であり、消化管局所炎症モデル動物作製には使用されていない。
【先行技術文献】
【特許文献】
【０００７】
【特許文献１】特開平11-164891
【特許文献２】特表2007-530148
【特許文献３】特表2004-503295
【特許文献４】特開平8-187291
【特許文献５】特開2008-173137
【発明の概要】
【発明が解決しようとする課題】
【０００８】
本発明は、炎症性腸疾患の病因研究に必要な、開腹することなくかつ消化管内部に病変部と非病変部が存在する消化管局所炎症モデル動物を作製するためのバルーンカテーテル及び該バルーンカテーテルを使用して消化管局所炎症モデル動物作製方法を提供することを課題とした。
【課題を解決するための手段】
【０００９】
本発明者らは、複数のバルーンを有し、該複数のバルーン間におけるチューブ本体の外周壁に１又は２以上の側孔を有するカテーテルの構造により、消化管の局所のみに薬剤を供給することができることを見出し、さらには、最適な薬剤の種類及び濃度を設定することにより、消化管の局所のみを炎症させた消化管局所炎症モデル動物を作製することができることを確認して、本発明を完成した。
【００１０】
すなわち、本発明は以下の通りである。
１．消化管局所炎症モデル動物作製用カテーテルであって、
チューブ本体と、
前記チューブ本体先端縁の外周壁に一定の間隔を置いて形成された２以上のバルーン用孔と、
前記チューブ本体内に形成されており前記２以上のバルーン用孔へ連通する第１ルーメン又は前記チューブ本体内の前記２以上のバルーン用孔へ連通する第１管と、
前記２以上のバルーン用孔の各々を覆う状態で前記チューブ本体の外周周りに設置された２以上のバルーンと、
前記チューブ本体の外周壁の前記各バルーン間に形成された側孔と、
前記チューブ本体内に形成されており前記側孔へ連通する第２ルーメン又は前記チューブ本体内の前記側孔へ連通する第２管と、
を少なくとも備えることを特徴とするカテーテル。
２．前記第１ルーメンが各バルーン用孔の各々に対応する２以上のルーメンを含むこと、又は前記第１管が各バルーン用孔の各々に対応する２以上の管を含むこと、により各バルーンを個別に拡張可能であることを特徴とする前項１に記載のカテーテル。
３．前記第２ルーメンが各側孔の各々に対応する２以上のルーメンを含むこと、又は前記第２管が各側孔の各々に対応する２以上の管を含むこと、により各側孔から異なる薬剤を放出可能であることを特徴とする前項１又は２に記載のカテーテル。
４．前記バルーンが２つ（第１バルーン及び第２バルーン）設置されており、かつ前記バルーン用孔が２つ（第１バルーン用孔及び第２バルーン用孔）設置されており、前記第１ルーメンが２個のルーメン（ルーメン５ａ'及びルーメン５ｂ'）又は前記第１管が２個の管（管５ａ及び管５ｂ）を含み、前記管５ａ又はルーメン５ａ'が前記第１バルーン用孔に連通し、前記管５ｂ又はルーメン５ｂ'が前記第２バルーン用孔に連通し、これにより、
前記第１バルーン及び第２バルーンを個別に拡張可能であることを特徴とする前項１〜３のいずれか１に記載のカテーテル。
５．前記バルーンが３つ（第１バルーン、第２バルーン及び第３バルーン）設置されており、かつ各バルーン間の側孔が２つ（第１側孔及び第２側孔）設置されており、
前記第２ルーメンが２個のルーメン（ルーメン７ａ'及びルーメン７ｂ'）又は前記第２管が２個の管（管７ａ及び管７ｂ）を含み、
前記管７ａ又は前記ルーメン７ａ'が前記第１側孔に連通し、前記管７ｂ又は前記ルーメン７ｂ'が前記第２側孔に連通し、これにより、
前記第１側孔と前記第２側孔から異なる薬剤を放出可能であることを特徴とする前項１〜４のいずれか１に記載のカテーテル。
６．さらに、前記チューブ本体内に形成されており、チューブ本体の先端へ開口し、かつガイドワイヤを挿通可能な第３ルーメンを設けることを特徴とする前項１〜５のいずれか１に記載のカテーテル。
７．各バルーン間の距離を伸縮可能にするための伸縮手段を有することを特徴とする前項１〜６のいずれか１に記載のカテーテル。
８．前記伸縮手段は、チューブ本体が該チューブ本体の先端部を有する先端管及び末端管で構成されており、さらに該末端管の先端の一部又は全部が摺動可能に該先端管の末端内に格納されていることを特徴とする前項７に記載のカテーテル。
９．前記伸縮手段は、チューブ本体が該チューブ本体の先端部を有する先端管及び末端管で構成されており、さらに該先端管の末端の一部又は全部が摺動可能に該末端管の先端内に格納されていることを特徴とする前項７に記載のカテーテル。
１０．前記末端管が前記先端管から離脱することを防ぐための１組の停止部材を有する前項８又は９に記載のカテーテル。
１１．前項１〜１０のいずれか１に記載のカテーテルを使用して、モデル動物に薬剤を注入することを特徴とする消化管局所炎症モデル動物の作製方法。
１２．前記薬剤が、7.0％〜13.0％酢酸であることを特徴とする前項１１の作製方法。
【発明の効果】
【００１１】
本発明によれば、消化管内部に病変部と非病変部が存在する消化管局所炎症モデル動物を作製するためのカテーテル及び該カテーテルを使用して消化管局所炎症モデル動物作製方法を提供することができる。
【図面の簡単な説明】
【００１２】
【図１】実施態様１のカテーテルの全体図（第１バルーン及び第２バルーンの両方が拡張している状態である）
【図２】実施態様１のカテーテルの断面模式図（第１バルーン及び第２バルーンの両方が拡張している状態である）
【図３】実施態様２のカテーテルの全体図（第１バルーンのみが拡張している状態である）
【図４】実施態様２のカテーテルの断面模式図（第１バルーンのみが拡張している状態である）
【図５】実施態様３のカテーテルの全体図（すべてのバルーンが拡張している状態である）
【図６】実施態様３のカテーテルの断面模式図（すべてのバルーンが拡張している状態である）
【図７】実施態様４のカテーテルの全体図（第１バルーン及び第３バルーンが拡張している状態である）
【図８】実施態様４のカテーテルの断面模式図（第１バルーン及び第３バルーンが拡張している状態である）
【図９】実施態様５のガイドワイヤを挿通可能なカテーテル
【図１０】実施態様６の各バルーン間の距離を伸縮可能なカテーテルの断面模式図
【図１１】酢酸注入後のラットから摘出した大腸（矢印で示した箇所のみに炎症が起きている）の画像
【図１２】酢酸注入後のラットの体重変化を示すグラフ
【発明を実施するための形態】
【００１３】
本発明の消化管局所炎症モデル動物作製用カテーテルでは、側孔から放出される薬剤が複数のバルーン間の存在により広範囲に拡散されるのを防ぐことにより消化管内の局所のみに薬剤を供給することができ、該局所供給により消化管内部に病変部と非病変部が存在する消化管局所炎症モデル動物を作製することができる（参照：図１）。
さらに、本発明の消化管局所炎症モデル動物の作製方法では、上記カテーテルを使用して最適な薬剤の種類及び濃度を設定することにより、体重の減少を極力抑えた消化管局所炎症モデル動物を提供することができる（参照：図１２）。
【００１４】
（消化管局所炎症モデル動物）
本発明の「消化管局所炎症モデル動物」とは、消化管内部に病変部と非病変部、特に炎症部と非炎症部が存在する動物を意味する。なお、消化管は、口腔、食道、胃、小腸、大腸、肛門を含む。
加えて、病変部（炎症部）の体積は、全体積に対して、１〜９０％、好ましくは５〜８０％、より好ましくは１０〜７０％、最も好ましくは１５〜６０％である。
【００１５】
炎症とは、急性的な炎症と慢性的な炎症を含む。なお、粘膜上皮が物理的または化学的な刺激や細菌やウイルスの感染を受けると炎症が生じ、その程度によりびらんや潰瘍病変を生じる。
【００１６】
（モデル動物）
本発明の「モデル動物」とは、非ヒト動物であり、特に限定されない。例えば、ウシ、ブタ、ヒツジ、ヤギ、ウサギ、イヌ、ネコ、モルモット、ハムスター、マウス、ラットなどの哺乳動物が例示される。これらのうち、ウサギ、イヌ、ネコ、モルモット、ハムスター、マウス、ラットが好ましい。
【００１７】
（薬剤）
本発明で用いる「薬剤」とは、モデル動物の消化管内部の一部分に炎症部位を生じさせる自体公知の任意の物質又は該炎症部位に治療効果のある物質若しくは治療効果が期待される物質を意味する。
例えば、モデル動物に炎症を起こす目的の薬剤では、デキストラン硫酸ナトリウム、トリニトロベンゼンスルホン酸、エタノール、酢酸、インドメタシン等を使用することができる。
また、モデル動物の炎症を予防及び／又は治療目的の薬剤では、以下のような物質等を使用する。
胃炎、胃・十二指腸潰瘍などの炎症に対しては、胃酸分泌やその作用を抑制する目的で制酸剤、抗コリン剤、抗ヒスタミンＨ２受容体拮抗剤、プロトンポンプ阻害剤などが使われる。また、非ステロイド性抗炎症剤が原因の炎症には、その薬剤により産生が阻害されるプロスタグランジンＥを補う目的でプロスタグランジンＥ誘導体などが使われる。
【００１８】
（本発明の消化管局所炎症モデル動物作製用カテーテルの実施態様１）
以下、本発明の消化管局所炎症モデル動物作製用カテーテル（Ａ）について、図面１及び図面２を参照して説明する。
該カテーテル（Ａ）は、先端から基端縁まで延びるチューブ本体（１）と、チューブ本体（１）の基端と連続するポート接続部（１ａ）と、該先端側に位置する第１バルーン（２）、第２バルーン（３）、該ポート接続部（１ａ）と接続されたバルーン用ポート（１ｂ）と、薬液供給ポート（１ｄ）と、を少なくとも備えている
チューブ本体（１）には、バルーン用ポート（１ｂ）と連通した第１ルーメン（５'）と、薬液供給ポート（１ｄ）と連通した第２ルーメン（７'）と、が少なくとも配置されている。または、チューブ本体（１）が、中空状態の形状を有する場合には、バルーン用ポート（１ｂ）と連通した第１管（５）と、薬液供給ポート（１ｄ）と連通した第２管（７）と、が少なくとも配置されている。
さらに、チューブ本体（１）の先端縁の外周壁には、一定の間隔を置いて、第１バルーン用孔（４ａ）、第２バルーン用孔（４ｂ）、側孔（６）が形成されている。
そして、第１管（５）又は第１ルーメン（５'）は、第１バルーン用孔（４ａ）及び第２バルーン用孔（４ｂ）へ連通し、第２管（７）又は第２ルーメン（７'）は側孔（６）へ連通し、第１バルーン用孔（４ａ）及び第２バルーン用孔（４ｂ）の各々を覆う状態で、チューブ本体（１）の外周周りに、第１バルーン（２）および第２バルーン（３）が設置されている。
さらに、バルーン用ポート（１ｂ）及び薬液供給ポート（１ｄ）には、シリンジ、液体供給装置又はガス（空気、酸素も含む）供給装置を連結可能である。
【００１９】
本発明の消化管局所炎症モデル動物作製用カテーテル（Ａ）の側孔（６）から放出した薬剤は、図面１の矢印から明らかなように、両端の第１バルーン（２）及び第２バルーン（３）の存在により、消化管内の局所のみに供給される。
【００２０】
（本発明の消化管局所炎症モデル動物作製用カテーテルの実施態様２）
以下、本発明の消化管局所炎症モデル動物作製用カテーテル（Ｂ）について、図面３及び図面４を参照して説明する。なお、該カテーテルは、第１バルーン（２）及び第２バルーン（３）を個別に拡張可能であることを特徴とする。
該カテーテル（Ｂ）は、先端から基端縁まで延びるチューブ本体（１）と、チューブ本体（１）の基端と連続するポート接続部（１ａ）と、該先端側に位置する第１バルーン（２）、第２バルーン（３）、該ポート接続部（１ａ）と接続された第１バルーン用ポート（１ｂ）と、該ポート接続部（１ａ）と接続された第２バルーン用ポート（１ｃ）と、該ポート接続部（１ａ）と接続された薬液供給ポート（１ｄ）と、を少なくとも備えている。
チューブ本体（１）には、第１バルーン用ポート（１ｂ）と連通した第１ルーメン（５ａ'）と、第２バルーン用ポート（１ｃ）と連通した第１ルーメン（５ｂ'）と、薬液供給ポート（１ｄ）と連通した第２ルーメン（７'）と、が少なくとも配置されている。
または、チューブ本体（１）が、中空状態の形状を有する場合には、第１バルーン用ポート（１ｂ）と連通した第１管（５ａ）と、第２バルーン用ポート（１ｃ）と連通した第１管（５ｂ）と、薬液供給ポート（１ｄ）と連通した第２管（７）と、が少なくとも配置されている。
さらに、チューブ本体（１）の先端縁の外周壁には、一定の間隔を置いて、第１バルーン用孔（４ａ）、第２バルーン用孔（４ｂ）、側孔（６）が形成されている。
そして、第１管（５ａ）又は第１ルーメン（５ａ'）は第１バルーン用孔（４ａ）へ連通し、第１管（５ｂ）又は第１ルーメン（５ｂ'）は第１バルーン用孔（４ｂ）へ連通し、第２管（７）又は第２ルーメン（７'）は側孔（６）へ連通し、第１バルーン用孔（４ａ）及び第２バルーン用孔（４ｂ）の各々を覆う状態で、チューブ本体（１）の外周周りに、第１バルーン（２）および第２バルーン（３）が設置されている。
【００２１】
本発明の消化管局所炎症モデル動物作製用カテーテル（Ｂ）は、図面３及び図面４から明らかなように、第１バルーン（２）及び第２バルーン（３）を個別に拡張させることができる。
【００２２】
（本発明の消化管局所炎症モデル動物作製用カテーテルの実施態様３）
実施態様３のカテーテル（Ｃ）について、図面５及び図面６を参照して説明する。なお、該カテーテルは、各側孔から異なる薬剤を放出可能であることを特徴とする。
該カテーテル（Ｃ）は、先端から基端縁まで延びるチューブ本体（１）と、チューブ本体（１）の基端と連続するポート接続部（１ａ）と、該先端側に位置する第１バルーン（２）と、第２バルーン（３）と、第３バルーン（８）と、該ポート接続部（１ａ）と接続された第１バルーン用ポート（１ｂ）と、該ポート接続部（１ａ）と接続された第１側孔に連通している薬液供給ポート（１ｄ）と、該ポート接続部（１ａ）と接続された第２側孔に連通している薬液供給ポート（１ｅ）と、を少なくとも備えている。
チューブ本体（１）には、バルーン用ポート（１ｂ）と連通した第１ルーメン（５'）と、薬液供給ポート（１ｄ）と連通した第２ルーメン（７ａ'）、薬液供給ポート（１ｅ）と連通した第２ルーメン（７ｂ'）と、が少なくとも配置されている。または、チューブ本体（１）が、中空状態の形状を有する場合には、バルーン用ポート（１ｂ）と連通した第１管（５）と、薬液供給ポート（１ｄ）と連通した第２管（７ａ）、薬液供給ポート（１ｅ）と連通した第２管（７ｂ）と、が少なくとも配置されている。
また、チューブ本体（１）の先端縁の外周壁には、一定の間隔を置いて、第１バルーン用孔（４ａ）、第２バルーン用孔（４ｂ）、第３バルーン用孔（４ｃ）、側孔（６ａ）及び側孔（６ｂ）が形成されている。
そして、第１管（５）又は第１ルーメン（５'）は、第１バルーン用孔（４ａ）、第２バルーン用孔（４ｂ）及び第３バルーン用孔（４ｃ）へ連通し、第２管（７ａ）又は第２ルーメン（７ａ'）は側孔（６ａ）へ連通し、第２管（７ｂ）又は第２ルーメン（７ｂ'）は側孔（６ｂ）へ連通し、第１バルーン用孔（４ａ）、第２バルーン用孔（４ｂ）及び第３バルーン用孔（４ｃ）の各々を覆う状態で、チューブ本体（１）の外周周りに、第１バルーン（２）、第２バルーン（３）及び、第３バルーン（８）が設置されている。
【００２３】
本発明の消化管局所炎症モデル動物作製用カテーテル（Ｃ）は、図面５の矢印から明らかなように、２つの側孔から異なる薬剤を放出することができる。
【００２４】
（本発明の消化管局所炎症モデル動物作製用カテーテルの実施態様４）
実施態様４のカテーテル（Ｄ）について、図面７及び図面８を参照して説明する。なお、該カテーテルは、第１バルーン、第２バルーン及び第３バルーンを個別に拡張可能であり並びに各側孔から異なる薬剤を放出可能であることを特徴とする。
該カテーテル（Ｄ）は、先端から基端縁まで延びるチューブ本体（１）と、チューブ本体（１）の基端と連続するポート接続部（１ａ）と、該先端側に位置する第１バルーン（２）、第２バルーン（３）、第３バルーン（８）、該ポート接続部（１ａ）と接続された第１バルーン用ポート（１ｂ）と、該ポート接続部（１ａ）と接続された第２バルーン用ポート（１ｃ）と、該ポート接続部（１ａ）と接続された第３バルーン用ポート（１ｆ）と、該ポート接続部（１ａ）と接続された第１側孔に連通している薬液供給ポート（１ｄ）と、該ポート接続部（１ａ）と接続された第２側孔に連通している薬液供給ポート（１ｅ）と、を少なくとも備えている。
チューブ本体（１）には、第１バルーン用ポート（１ｂ）と連通した第１ルーメン（５ａ'）と、第２バルーン用ポート（１ｃ）と連通した第１ルーメン（５ｂ'）と、第３バルーン用ポート（１ｆ）と連通した第１ルーメン（５ｃ'）と、薬液供給ポート（１ｄ）と連通した第２ルーメン（７ａ'）、薬液供給ポート（１ｅ）と連通した第２ルーメン（７ｂ'）と、が少なくとも配置されている。または、チューブ本体（１）が、中空状態の形状を有する場合には、第１バルーン用ポート（１ｂ）と連通した第１管（５ａ）と、第２バルーン用ポート（１ｃ）と連通した第１管（５ｂ）と、第３バルーン用ポート（１ｆ）と連通した第１管（５ｃ）と、薬液供給ポート（１ｄ）と連通した第２管（７ａ）、薬液供給ポート（１ｅ）と連通した第２管（７ｂ）と、が少なくとも配置されている。
また、チューブ本体（１）の先端縁の外周壁には、一定の間隔を置いて、第１バルーン用孔（４ａ）、第２バルーン用孔（４ｂ）、第３バルーン用孔（４ｃ）、側孔（６ａ）側孔（６ｂ）が形成されている。
そして、第１管（５ａ）又は第１ルーメン（５ａ'）は第１バルーン用孔（４ａ）へ連通し、第１管（５ｂ）又は第１ルーメン（５ｂ'）は第２バルーン用孔（４ｂ）へ連通し、第１管（５ｃ）又は第１ルーメン（５ｃ'）は第３バルーン用孔（４ｃ）へ連通し、第２管（７a）又は第２ルーメン（７ａ'）は側孔（６ａ）へ連通し、第２管（７ｂ）又は第２ルーメン（７ｂ'）は側孔（６ｂ）へ連通し、第１バルーン用孔（４ａ）、第２バルーン用孔（４ｂ）及び第３バルーン用孔（４ｃ）の各々を覆う状態で、チューブ本体（１）の外周周りに、第１バルーン（２）、第２バルーン（３）及び、第３バルーン（８）が設置されている。
【００２５】
本発明の消化管局所炎症モデル動物作製用カテーテル（Ｄ）は、図面７及び図８から明らかなように、２つの側孔から異なる薬剤を放出することができ、さらに、第１バルーン、第２バルーン及び第３バルーンを個別に拡張することができる。
【００２６】
（本発明の消化管局所炎症モデル動物作製用カテーテルの実施態様５）
実施態様５のカテーテル（Ｅ）について、図面９を参照して説明する。なお、該カテーテルは、上記実施態様１〜４のいずれか１のカテーテルのチューブ本体１の先端へ開口しているガイドワイヤを挿通可能な第３ルーメン（９）が配置されている。
【００２７】
（本発明の消化管局所炎症モデル動物作製用カテーテルの実施態様６）
各バルーン間の距離を伸縮可能な実施態様６のカテーテル（Ｆ）について、図面１０を参照して説明する。
なお、該カテーテルは、各バルーン間の距離を伸縮可能にするための伸縮手段を有する。より詳しくは、上記実施態様１〜５のいずれか１のカテーテルの中空状態のチューブ本体１が、該チューブ本体の先端部を有する先端管（１Ａ）及び末端管（１Ｂ）から構成されている。先端管（１Ａ）の内径は、末端管（１Ｂ）の先端の一部又は全部が該先端管（１Ａ）内に摺動可能に受容されること（格納）ができるように、該末端管（１Ｂ）の外径よりも大きい。
さらに、該カテーテルは、前記末端管が前記先端管から離脱することを防ぐための１組の停止部材を有してもよい。なお、１組の停止部材は、２つの停止器具１０及び２つの停止器具１１を含む。
停止器具１０は先端管（１Ａ）の末端の内面に配置され、停止器具１１は、末端管（１Ｂ）の先端の外面に配置されている。停止器具１０及び停止器具１１は、先端管（１Ａ）の末端及び末端管（１Ｂ）の先端で係合して、該末端管が該先端管から離脱することを防ぐことができる。
加えて、停止器具１０が先端管（１Ａ）の末端の内面及び外面に配置されている場合には、各バルーン間の距離が過度に近くなることを防ぐための停止部材にもなる。詳しくは、末端管（１Ｂ）を矢印の方向に移動させることにより、停止器具１０が該末端管の停止面１２と接触することにより、各バルーン間の距離を縮めることができない。
【００２８】
加えて、図１０とは異なり、末端管（１Ｂ）の内径は、先端管（１Ａ）の末端の一部又は全部が該末端管（１Ｂ）内に摺動可能に受容されること（格納）ができるように、該先端管（１Ａ）の外径よりも大きくすることもできる。
【００２９】
本発明の消化管局所炎症モデル動物作製用カテーテル（Ｆ）は、図１０から明らかなように、末端管（１Ｂ）を矢印の方向に移動させることにより、各バルーン間の距離を縮めることができる。
これにより、各種のモデル動物の消化管の長さに合わせて各バルーン間の距離を適切に調整することができる。
【００３０】
（モデル動物の前処理）
使用するモデル動物は、好ましくは消化管の内容物を排出させる。排出方法は、例えば、グリセリンを適宜直腸より注入し、可能な限りバルーンカテーテルにて消化管の内容物を除去する。
【００３１】
（消化管局所炎症モデル動物作製方法）
本実施態様のカテーテルを、モデル動物の肛門から慎重に挿入し、さらに、該カテーテルの各バルーン間｛第１バルーン（２）と第２バルーン（３）の間｝が消化管内の施術部位の位置に達するまで挿入する。
なお、本実施態様５のカテーテルを使用する場合には、予め目的の消化管内位置までガイドワイヤを公知の方法で導入しておき、第３ルーメン（９）の先端にガイドワイヤの基端を入れる。そして、本実施態様５のカテーテルを該ガイドワイヤに沿わせて進め、施術部位が各バルーン間（第１バルーン（２）と第２バルーン（３）の間）に位置するようにした後に、ガイドワイヤを引く。
次に、バルーン用ポートに接続した流体注入器を操作し、各バルーンを拡張する。
さらに、薬液用ポートに接続した機器を操作し、各バルーンの間の側孔から酢酸等の薬液を消化管内の局所（各バルーン間）に注入する。これにより、モデル動物の消化管内の局所で炎症が生じることにより、消化管局所炎症モデル動物が作製できる。
なお、本発明の消化管局所炎症モデル動物の作製では、下記実施態様の結果により、好ましくは、7.0％〜13.0％の酢酸を注入することが好ましい。
【００３２】
（消化管局所炎症モデル動物）
本発明のカテーテルを使用して作製した消化管局所炎症モデル動物では、消化管内に病変部（炎症部）と非病変部が存在しており、炎症治療過程及び治療後の病変部と非病変部の相違及び細菌叢を比較することができる。
さらに、実施態様３又は４のカテーテルを使用して作製した消化管局所炎症モデル動物は炎症性消化管疾患の治療剤のスクリーニング方法に適している。
詳しくは、消化管局所炎症モデル動物の消化管内に異なる種類の炎症を同時に発症させることができる。例えば、実施態様３又は４のカテーテルの側孔（６ａ）から薬剤Ａ及び側孔（６ｂ）から薬剤Ｂを放出することにより、消化管内に薬剤Ａ誘発炎症部位及び薬剤Ｂ誘発炎症部位を生じさせることができる。
さらに、消化管局所炎症モデル動物の消化管内に同時に異なる薬剤候補物質のスクリーニングをすることができる。
例えば、予め同じ薬剤Ａで誘発した炎症部位を消化管内に２箇所生じさせた後に、実施態様３又は４のカテーテルの側孔（６ａ）から炎症部位に治療効果が期待される薬剤Ｃ及び側孔（６ｂ）から炎症部位に治療効果が期待される薬剤Ｄを放出することにより、同時に薬剤Ｃ及び薬剤Ｄの治療効果を確認することができる。
【００３３】
上記スクリーニングで得られた炎症性消化管疾患の治療剤は、予防、改善又は治療等の目的に応じて、散剤、顆粒剤、錠剤、カプセル剤、腸溶剤、液剤、注射剤（液剤、懸濁剤）または遺伝子療法に用いる形態などの各種の形態に、常法にしたがって調製することができる。本発明の治療剤は、通常は１種または複数の医薬用担体を用いて医薬組成物として製造することが好ましい。
【００３４】
炎症性消化管疾患の治療剤の投与量または摂取量については、特に限定されるものではなく、含有される成分の有効性、投与形態、投与経路、疾患の種類、対象の性質（体重、年齢、病状および他の医薬の使用の有無等）、および担当医師の判断等に応じて適宜選択される。本発明の医薬または食品は、１日１〜数回に分けて投与または摂取することができ、数日または数週間に１回の割合で間欠的に投与または摂取してもよい。
【００３５】
以下の実施例により本発明をさらに具体的に説明するが、本発明は実施例によって限定されるものではない。
【実施例１】
【００３６】
（消化管局所炎症モデル動物の作製）
実施態様１のカテーテルを介して各濃度の酢酸をラットの大腸の局所に注入して、酢酸誘発大腸炎局所炎症ラットを作製した。さらに、酢酸注入後の体重変化の測定、及び各ラットを開腹して大腸を摘出して肉眼的に評価した。なお、生理食塩水を注入したラットをコントロールとして使用した。詳細は、以下の通りである。
（１）使用したラット：SD系ラット（雌性、７週齢）を１週間馴化飼育した後、試験に使用した。
（２）使用した酢酸濃度、投与量及び投与時間
ラット１：50.0％酢酸  １mlを１分で投与した。
ラット２：20.0％酢酸  １mlを１分で投与した。
ラット３−１：10.0％酢酸  １mlを３分で投与した。
ラット３−２：10.0％酢酸  １mlを５分で投与した。
ラット３−３：10.0％酢酸  ２mlを３分で投与した。
ラット４−１：5.0％酢酸  １mlを１分で投与した。
ラット４−２：5.0％酢酸  １mlを５分で投与した。
コントロールラット：0.9％の生理食塩水  ２ｍｌを３分で投与した。
【００３７】
（摘出した大腸の肉眼的評価）
上記10.0％酢酸を注入したラット３−１及び３−３から摘出した大腸を図１１に示す。  図１１の画像から明らかなように、大腸の一部に炎症を起こしていることがわかる（図中の矢印を参照）。同様に、10.0％酢酸を注入したラット３−２から摘出した大腸の一部でも炎症を起こしていた（図なし）。
上記5.0％酢酸を注入しているラット４−１及び４−２は、酢酸注入後には生育することができたが、大腸の一部に炎症が起きていなかった。なお、上記50.0％酢酸を注入したラット１及び20.0％酢酸を注入したラット２は、酢酸注入２４時間後までに生育できなかったので、大腸を摘出しなかった。
以上により、本発明のカテーテルを介して約10.0％の酢酸をラットの大腸の局所に注入すれば、酢酸誘発局所大腸炎ラットを作製できた。すなわち、本発明のカテーテルを介して約7.0〜13.0％の酢酸をラットの大腸の局所に注入すれば、酢酸誘発局所大腸炎ラットを作製できる。
【００３８】
（酢酸注入後の体重変化）
上記大腸を摘出する前の10.0％酢酸２mlを３分で投与したラット３匹（開始体重▲：約640g、■：約625g、×：約560g）及びコントロールラット（開始体重約700g）の体重変化の測定結果を図１２に示す。
図１２のグラフから明らかなように、酢酸注入後のラットの体重変化が欠しかった。該体重変化が欠しい理由は、大腸の炎症箇所は限局的であり周囲の組織は正常に保たれているからであると考えられる。
【産業上の利用可能性】
【００３９】
本発明は、炎症性腸疾患の病因研究に必要な、開腹することなくかつ消化管内部に病変部と非病変部が存在する消化管局所炎症モデル動物を作製するためのバルーンカテーテル及び該バルーンカテーテルを使用して消化管局所炎症モデル動物作製方法を提供することができる。
【符号の説明】
【００４０】
１：チューブ本体、１ａ：ポート接続部、１ｂ、１ｃ、１ｆ：バルーン用ポート、１ｄ、１ｅ：薬液供給ポート、１Ａ：先端管、１Ｂ：末端管
２：第１バルーン
３：第２バルーン
４ａ、４ｂ、４ｃ：バルーン用孔
５、５ａ、５ｂ、５ｃ：第１管
５'、５ａ'、５ｂ'、５ｃ'： 第１ルーメン
６、６ａ、６ｂ：側孔
７、７ａ、７ｂ、７ｃ：第２管
７'、７ａ'、７ｂ'、７ｃ'：第２ルーメン
８：第３バルーン
９：第３ルーメン
１０：停止器具
１１：停止器具
１２：停止面
【図１】
2011143127.tif 000003
【図２】
2011143127.tif 000004
【図３】
2011143127.tif 000005
【図４】
2011143127.tif 000006
【図５】
2011143127.tif 000007
【図６】
2011143127.tif 000008
【図７】
2011143127.tif 000009
【図８】
2011143127.tif 000010
【図９】
2011143127.tif 000011
【図１０】
2011143127.tif 000012
【図１１】
2011143127.tif 000013
【図１２】
2011143127.tif 000014